【手続補正書】
【提出日】平成19年8月28日(2007.8.28)
【手続補正１】
【補正対象書類名】明細書
【補正対象項目名】０００４
【補正方法】変更
【補正の内容】
【０００４】
解決しようとする問題点は、従来の方式では、ユーザが所有するほぼ全ての物品、さらに、ユーザが所有する物品以外にＩＣタグが装着されることについては考慮されおらず、他人が所有する物品を管理したり、あまり重要ではない物品においてもユーザから一定距離以上離れた場合にアラームを鳴らす。また、アラームを鳴らす必要の無い場所についても、考慮されておらず、ユーザの日頃の行動から、例えば、学校ではカバンはロッカーに入れる等により、ユーザから所持品が離れることがわかっている場合においても、常にアラームが鳴りことにより、ユーザはわずらわしさを感じ、日常はアラームを切断しておく等することにより、所持品の置き忘れ時にアラーム機能が働かない場合が考えられる。
【手続補正２】
【補正対象書類名】明細書
【補正対象項目名】０００５
【補正方法】変更
【補正の内容】
【０００５】
本発明は、物品管理装置にＩＣタグ通信手段、ユーザの所有する物品を、その物品に装着されたＩＣタグのＩＤ情報に関連させて記録する所有物データベース、位置検出手段、時計機能とを設け、前記ＩＣタグ通信手段で検出されたＩＣタグのＩＤ情報を基に、前記所有物データベースに、検出位置の位置情報および日時情報を記録していく。
【手続補正３】
【補正対象書類名】明細書
【補正対象項目名】０００７
【補正方法】削除
【補正の内容】
【手続補正４】
【補正対象書類名】明細書
【補正対象項目名】００１０
【補正方法】変更
【補正の内容】
【００１０】
図１は物品管理装置の1実施形態を示す全体構成図である。１は登録された所持品との通信記録により所持品を管理する物品管理装置、２０は前記物品管理装置１のユーザの所有物、例えば、鞄や帽子、時計等に装着された無線ＩＣタグである。
【手続補正５】
【補正対象書類名】明細書
【補正対象項目名】００１２
【補正方法】変更
【補正の内容】
【００１２】
ここで、ＩＣタグ２０は、固有ＩＤを持ち、ある特定の周波数の無線電波をＩＣタグリーダから受けると、前記固有ＩＤを含む情報を前記ＩＣタグリーダに送信する非接触型の識別媒体であり、ＩＣタグの構成図の一例を図２に示す。
ＩＣタグ２０は、アンテナ等で無線信号を受信する無線通信手段２６、信号の処理を行うロジック処理手段２７、固有のＩＤ情報が格納されているメモリ２８で構成される。ＩＣタグ２０は、前記物品管理装置１のＩＣタグリーダから通信可能な周波数の無線電波を受信すると、メモリ２０に記録されているＩＤ情報をＩＣタグリーダに送信する。
なお、図２ではＩＣタグの最低限の構成を示したが、他にもＣＰＵが搭載されていてＩＣタグ側で高度な処理を行うＩＣタグでもよいし、メモリは固定のＩＤ以外にＩＣタグリーダ/ライタで書き込み可能な領域を持つメモリを使ったＩＣタグでもよい。
【手続補正６】
【補正対象書類名】明細書
【補正対象項目名】００１７
【補正方法】変更
【補正の内容】
【００１７】
ＩＣタグ管理手段のＩＣタグ管理方法の一例について、図５を用いて説明する。図５は、ＩＣタグ管理手段のＩＣタグ管理フローチャートである。まず、物品管理装置１のＩＣタグ管理機能は、時計機能から時刻の取得１０１を行い、ＩＣタグを検索する時刻かどうか１０２を判断する。ここで、検索時刻はユーザあるいは工場出荷時等にあらかじめ設定されている時刻であり、時刻以外に、ＩＣタグの検索間隔である時間を見てもよい。ＩＣタグ管理機能が、検索時刻と判断すると、ＩＣタグ管理機能はＩＣタグリーダにＩＣタグ検索命令１０３を出し、ＩＣタグリーダに通信可能なＩＣタグすべてを検索させ、通信できたＩＣタグのＩＤ情報を取得１０４する。
【手続補正７】
【補正対象書類名】明細書
【補正対象項目名】００２０
【補正方法】変更
【補正の内容】
【００２０】
次に、所有物管理端末を用いて所有物データベースに所有物を登録する方法について、説明する。 図６に所有物管理端末に所有物登録機能をつけた場合の、所有物管理端末の構成図を示す。図１と同じものには、同じ番号を付しており、説明は省略する。５１は入力手段であり、５２は出力切り替えが可能なＩＣタグリーダである。入力手段５１は、ユーザが所有物管理端末１の外部ボタンや、表示画面に表示されたボタンであり、ＩＣタグ管理手段１３で指定されたモード切り替えのためのボタンを押すことにより、ＩＣタグの読み取りモードが登録モードになったと判断し、ＩＣタグ管理手段は、ＩＣタグリーダに登録モードでの動作を要求する。
【手続補正８】
【補正対象書類名】明細書
【補正対象項目名】００２２
【補正方法】変更
【補正の内容】
【００２２】
なお、本登録手段は、所有品データベースを作る一例であり、所有物管理システムにおいては、他の機器で所有品データベースを作っても構わないし、本所有物管理端末１を使った他の方法で、所有物データベースを作成しても構わない。
【手続補正９】
【補正対象書類名】明細書
【補正対象項目名】００２６
【補正方法】変更
【補正の内容】
【００２６】
次に物品管理装置において、警告機能による警告を発する場合の制限を付ける手段について以下説明する。
図７における所有品データベース１５の一例を図８に示す。図４と同じものには同じ番号を付しており説明は省略する。所有品データベース１５は、図３ですでに説明した項目のほかに、警告除外場所７１および警告発生までの時間７２が記録されている。例えば、鞄を外出時に所持していた場合、ユーザがロッカーに入れるなどして明らかにユーザから離れることがわかっている場所に関しては、警告を発しない。また、所持品がユーザから離れる時間が、所有物データベースに設定されている時間より短ければ警告を発しない。  
【手続補正１０】
【補正対象書類名】明細書
【補正対象項目名】００２８
【補正方法】変更
【補正の内容】
【００２８】
次に、図５の処理と同様に、時刻の取得１０１から所有物データベースに登録１０８までの処理を行う。さらに、所持品リストにある物品の中で、検出できなかったＩＣタグの有無を判定し１８３、不足がある場合には位置情報が所有物データベース１５の除外位置情報内にあるか無いかを判定する。前記取得した位置情報が警告除外位置の範囲内であれば、警告を発しない。また、前記取得した位置情報が警告除外位置の範囲外であれば、警告を発してユーザに、所持品がユーザから離れたことを通知する。以上の動作をＩＣタグ管理手段は外出している間、定期的に繰り返す。
【手続補正１１】
【補正対象書類名】明細書
【補正対象項目名】００２９
【補正方法】変更
【補正の内容】
【００２９】
以上説明したように、本システムにおいては、登録した場所では警告をださないので、ユーザは不要な警告解除にわずらわされることはない。また、警告除外場所においても、所持品の有無および無くなった位置等は記録されているため、置き忘れた所持品容易に探すことができる。
【手続補正１２】
【補正対象書類名】明細書
【補正対象項目名】００３０
【補正方法】変更
【補正の内容】
【００３０】
図１０は物品管理システムの１実施形態を示す全体構成図である。
図１から図９と同じものには同じ番号を付してあり、説明は省略する。９０は物品管理装置であり、２は管理サーバ、３は携帯電話通信網、４はインターネット等のネットワーク、５は携帯電話通信網とインターネットをつなぐ携帯電話キャリアのサーバ、６は作業現場に設置される無線制御端末を示す。なお、携帯電話キャリアのサーバ５については、説明は省略する。
【手続補正１３】
【補正対象書類名】明細書
【補正対象項目名】００３６
【補正方法】変更
【補正の内容】
【００３６】
さらに、管理サーバ２で物品管理装置９０からの接続がない時間がある設定している時間より長くなった場合に、警告を発生するようにしてもよい。
以上、所持品管理システムにより、所持品を管理するのみならず、物品管理装置を所有しているユーザの安全を管理できる。また、所持品のデータはすべて管理サーバに登録されているため、物品管理装置自体を紛失しても、管理サーバで所持品管理端の位置を受信することにより、物品管理装置をさがすことが可能である。
【手続補正１４】
【補正対象書類名】明細書
【補正対象項目名】００３７
【補正方法】変更
【補正の内容】
【００３７】
図１２は物品管理装置１実施形態の構成図である。図１から図７と同じものには同じ番号を付してあり、説明は省略する。 物品管理装置２３０は、位置検出用データベース２３１を有する。位置検出用データベース２３１の一例を、図１３に示す。図１３は、ほぼ固定され動きが無い家具等の定位置にある物品のＩＣタグのＩＤ情報２３２と、品名２３３で構成されている。ＩＣタグ管理機能１３では、所有物のＩＣタグのＩＤ情報とともに、位置検出用データベース２３１に記録されているＩＣタグのＩＤ情報を読み込んだ場合に、一緒に所有品データベースに記録する。また、ユーザが、ある特定の位置検出データベースに登録されている固定品の近くに所有物を置き忘れた場合に、容易に探すことができる。また、位置検出用のＩＣタグは、家具等の物にこだわらず、壁や柱に貼り付けて、その位置をもとに検索をすることも可能である。
以上説明した物品管理装置により、ＩＣタグが装着されている所持品の有無および位置を管理することができ、ユーザは所望の物品を容易に探し出すことができる。さらに、ユーザの行動から外出時にユーザから離れることが容易に推測できる場所では警告を発しないようにできる為、いちいちアラーム等を止める等の、ユーザの余分な動作をする負担を軽減する。さらに、管理サーバでユーザの所持品を管理することにより、ユーザの保護者等がユーザに代わり、ユーザの所持品を管理でき、かつ、通信状況によってはユーザ自身の管理が可能になる。
【手続補正１５】
【補正対象書類名】明細書
【補正対象項目名】００３８
【補正方法】変更
【補正の内容】
【００３８】
【図１】第一の実施例の物品管理装置の構成説明図である。
【図２】第一の実施例のＩＣタグの構成説明図である。
【図３】第一の実施例のＩＣタグリーダがＩＣタグを検出する範囲の説明図である。
【図４】第一の実施例の物品管理システムの所有品データベースのデータ説明図である。
【図５】第一の実施例の物品管理装置の処理フロー説明図である。
【図６】第一の実施例の物品登録機能を持つ物品管理装置の構成説明図である。
【図７】第二の実施例の物品管理装置の構成説明図である。
【図８】第二の実施例の物品管理システムの所有品データベースのデータ説明図である。
【図９】第二の実施例の物品管理装置の処理フロー説明図である。
【図１０】第三の実施例の物品管理装置の構成説明図である。
【図１１】第三の実施例の物品管理システムの所有品データベースのデータ説明図である。
【図１２】第四の実施例の物品管理装置の構成説明図である
【図１３】第四の実施例の物品管理システムの位置検出用データベースのデータ説明図である。